(57)【要約】      （修正有）【課題】マーキングボール及び圧縮ガスの装填を容易に行うことができるマーキングボール発射装置を提供する。【解決手段】ガスボンベ１３のガス圧によりマーキングボールを発射するマーキングボール発射装置１において、装置本体２は、ボンベ装着部と、カートリッジ装着部と、を備え、ガスボンベ１３と、マーキングボールを保持したカートリッジとを一体とするガス・ボール供給部３を装置本体２の前側から装着することにより、ガスボンベ１３をボンベ装着部に装着し、カートリッジをカートリッジ装着部に装着するマーキングボール発射装置１とする。【選択図】図２
2009109155.tif 000002
【特許請求の範囲】
【請求項１】
ガスボンベのガス圧によりマーキングボールを発射するマーキングボール発射装置において、
装置本体は、ボンベ装着部と、カートリッジ装着部と、を備え、
ガスボンベと、マーキングボールを保持したカートリッジとを一体とするガス・ボール供給部を装置本体の前側から装着することにより、
前記ガスボンベを前記ボンベ装着部に装着し、前記カートリッジを前記カートリッジ装着部に装着することを特徴とするマーキングボール発射装置。
【請求項２】
前記ガス・ボール供給部のカートリッジは、
ガスボンベを支持するガスボンベ支持部と、
該ガスボンベ支持部と一体に形成され、ガスボンベを載置するガスボンベ載置部と、
ガスボンベの先端部が挿入されることで該ガスボンベを固定するとともに、装置本体に装着することで前記ガス・ボール供給部を装置本体に固定するガスボンベ固定部と、
マーキングボールを保持するとともに、マーキングボールを発射するための射出口の機能を有するマーキングボール保持部と、
を備えることを特徴とする請求項１記載のマーキングボール発射装置。
【請求項３】
前記ガスボンベ固定部の一端部に薄膜を成型することを特徴とする請求項２記載のマーキングボール発射装置。
【請求項４】
前記マーキングボール保持部は、
孔部を形成する側壁と、
前記側壁の両端部に装着して前記孔部を密閉するとともに、マーキングボールを発射する際には打ち抜かれる蓋部と、から構成され、
且つ前記孔部にスポンジ材質のマーキングボールを保持していることを特徴とする請求項２又は３記載のマーキングボール発射装置。
【発明の詳細な説明】
【技術分野】
【０００１】
本発明は、銀行強盗等の突発事件が発生した場合に、逃走する犯人や車等を識別するためのマーキングボールを発射させるマーキングボール発射装置の技術に関する。
【背景技術】
【０００２】
従来のマーキングボール発射装置は、圧搾空気の圧力を利用してマーキングボールを発射させるものであるが、空気室とマーキングボールの収納室とを分断している隔壁を電磁シリンダの作動により破壊して、空気室と収納室を連通させて、圧搾空気の圧力によりマーキングボールを発射する構成のものや、空気室への圧搾空気の注入・排出を行うための弁体等が設けられているものである。従って、従来のマーキングボール発射装置は、部品点数が多くなり発射装置が大型化するとともに、発射装置を作動させるために電源が必要となるため、発射装置は設置タイプに構成せざるを得ず、携帯に適した構成とすることは困難であった。
そこで、簡単な構造で小型軽量に構成でき、マーキングボールの高精度な投擲を実現しながら携帯が可能なマーキングボール発射装置が発明されている（特許文献１参照）。
【特許文献１】特許３７９５０５２号公報
【発明の開示】
【発明が解決しようとする課題】
【０００３】
前述の特許文献１に記載されているマーキングボール発射装置は、マーキングボールの推進力となるガスを充填したガスボンベと、マーキングボールを収納するカートリッジとが別個独立した部材である。また当該マーキングボール発射装置は、ガスボンベ及びカートリッジをマーキングボール発射装置本体に装着する際、それぞれの部材を装置本体に対して逆の方向から装着する。従って、当該マーキングボール発射装置は、ガスとマーキングボールとを装置本体に装着するために、装置本体に対して異なった方向から別々の作業を行わなければならず、マーキングボール及び圧縮ガスの装填を容易に行うことができない場合があった。
【０００４】
本発明は、かかる問題を解決すべくなされたものであり、マーキングボール及び圧縮ガスの装填を容易に行うことができるマーキングボール発射装置の提供を目的とする。
【課題を解決するための手段】
【０００５】
本発明の解決しようとする課題は以上の如くであり、次にこの課題を解決するための手段を説明する。
【０００６】
即ち、第１の発明に係るマーキングボール発射装置は、ガスボンベのガス圧によりマーキングボールを発射するマーキングボール発射装置において、装置本体は、ボンベ装着部と、カートリッジ装着部と、を構成し、ガスボンベと、マーキングボールを保持したカートリッジとを一体とするガス・ボール供給部を装置本体の前側から装着することにより、前記ガスボンベを前記ボンベ装着部に装着し、前記カートリッジを前記カートリッジ装着部に装着する構成としたものである。
【０００７】
第２の発明に係るマーキングボール発射装置は、第１の発明に係るマーキングボール発射装置であって、前記ガス・ボール供給部は、ガスボンベを支持するガスボンベ支持部と、前記ガスボンベ支持部と一体に形成され、ガスボンベを載置するガスボンベ載置部と、ガスボンベの先端部が挿入されることでガスボンベを固定するとともに、装置本体に装着することでガス・ボール供給部を装置本体に固定するガスボンベ固定部と、マーキングボールを保持するとともに、マーキングボールを発射するための射出口の機能を有するマーキングボール保持部と、を構成するものである。
【０００８】
第３の発明に係るマーキングボール発射装置は、第２の発明に係るマーキングボール発射装置であって、前記ガスボンベ固定部の一端部に薄膜を成型したものである。
【０００９】
第４の発明に係るマーキングボール発射装置は、第２又は第３の発明に係るマーキングボール発射装置であって、前記マーキングボール保持部は、孔部を形成する側壁と、前記側壁の両端部に装着して前記孔部を密閉するとともに、マーキングボールを発射する際には打ち抜かれる蓋部と、から構成され、且つ前記孔部にスポンジ材質のマーキングボールを保持しているものである。
【発明の効果】
【００１０】
本発明の効果として、以下に示すような効果を奏する。
【００１１】
第１の発明においては、ガスボンベと、マーキングボールを保持したカートリッジとを一体とするガス・ボール供給部を装置本体の前側から装着することにより、ガスボンベをボンベ装着部に装着し、カートリッジをカートリッジ装着部に装着することから、ガスボンベとカートリッジとを装置本体に対して同方向から装着できるため、マーキングボール及び圧縮ガスの装填作業が容易となり操作性を向上することができる。
【００１２】
第２の発明においては、ガス・ボール供給部は、ガスボンベを支持するガスボンベ支持部と、ガスボンベ支持部と一体に形成され、ガスボンベを載置するガスボンベ載置部と、ガスボンベの先端部が挿入されることでガスボンベを固定するとともに、装置本体に装着することでガス・ボール供給部を装置本体に固定するガスボンベ固定部と、マーキングボールを保持するとともに、マーキングボールを発射するための射出口の機能を有するマーキングボール保持部と、を構成することから、ガスボンベとカートリッジとを同時に装着できるため、マーキングボール及び圧縮ガスの装填作業を素早く且つ同時に行うことができる。
【００１３】
第３の発明においては、ガスボンベ固定部の一端部に薄膜を成型することから、装置本体の揺れ等によるガスボンベの蓋板の破損を防止することができる。
【００１４】
第４の発明においては、マーキングボール保持部は、孔部を形成する側壁と、側壁の両端部に装着して孔部を密閉するとともに、マーキングボールを発射する際には打ち抜かれる蓋部と、から構成されていることから、マーキングボール保持部の内部に保持されたマーキングボールは発射時までカートリッジの外部の温度、湿度等の影響を受けにくくなり、マーキングボールの品質を保持することができる。また、マーキングボール保持部に保持しているマーキングボールがスポンジ材質であることから、マーキングボールの対人衝撃度を軽減しつつ、マーキングボールの被弾対象に対する被識別剤の付着度を向上することできる。
【発明を実施するための最良の形態】
【００１５】
以下、本発明の実施形態に係るマーキングボール発射装置１について図面に基づいて説明する。
【００１６】
図１は本発明の実施形態に係るマーキングボール発射装置１の斜視図、図２は、装置本体２にガスボンベ１３及びカートリッジ１４を装着する前のマーキングボール発射装置１の斜視図、図３は、マーキングボール発射装置１の内部を示す斜視図である。なお、図示左側をマーキングボール発射装置１の前側、図示右側をマーキングボール発射装置１の後側とする。
【００１７】
マーキングボール発射装置１は、装置本体２と、ガス・ボール供給部３と、ピストン４と、トリガー５と、から構成されている。
【００１８】
装置本体２は、樹脂により構成されており、正面視において縦長形状であって、側面視において横長の略長方形状に構成されている。装置本体２の中央部下側および前部上側には、側面視において、弧状のくぼみが形成されている。装置本体２は、側面が盛り上がった形状となっている。
【００１９】
図４は装置本体２の内部を示す断面図である。図４に示すように、装置本体２は、ボンベ装着部６と、カートリッジ装着部７と、ピストン室８と、ガス供給部９と、トリガー装着部５０と、ピストン装着部６０と、から構成されている。
【００２０】
ボンベ装着部６は、装置本体２の前部上側に設けられている。ボンベ装着部６は、ピストン室８と連通しており、ガスボンベ１３の先端部２１をピストン室８に向けて装着することで、ピストン４によりガスボンベ１３を開封可能とする。
【００２１】
カートリッジ装着部７は、装置本体２の前部下側に設けられている。カートリッジ装着部７は、ガス供給部９を介してピストン室８と連通している。カートリッジ装着部７は、端部にマーキングボール１１（図６）が発射される射出口１０を有する。
【００２２】
ピストン室８は、装置本体２の後部上側に設けられている。ピストン室８は、ボンベ装着部６と連通している。また、ピストン室８はガス供給部９を介してカートリッジ装着部７と連通している。
【００２３】
ガス供給部９は、装置本体２の中央部下側に略Ｌ字状に設けられ、ピストン室８とカートリッジ装着部７とを連通している。ガス供給部９は、ガスボンベ１３からの圧縮ガスをカートリッジ１４へ供給する。
【００２４】
トリガー装着部５０は、装置本体２の後部に設けられている。トリガー装着部５０は装置本体２の後部上側でピストン装着部６０と連通している。
【００２５】
ピストン装着部６０は、装置本体２の後部上側に設けられている。ピストン装着部６０の端部には、ピストン４を支持するピストン支持部材６１が設けられている。
【００２６】
図５はガス・ボール供給部３の斜視図、図６は、ガス・ボール供給部３（ガスボンベ固定部１７を除く）の断面図である。なお、図６の図示左側をガス・ボール供給部３の前側、図示右側をガス・ボール供給部３の後側とする。
【００２７】
ガス・ボール供給部３は、ガスボンベ１３と、カートリッジ１４と、から構成されている。図２に示すように、ガス・ボール供給部３は、装置本体２の前側（図２左側）から装着する。これにより、ガスボンベ１３がボンベ装着部６に装着され、カートリッジ１４がカートリッジ装着部７に装着される。
【００２８】
ガスボンベ１３は、マーキングボール１１の推進力となる炭酸ガス等の圧縮ガスが充填されている。
【００２９】
カートリッジ１４は、マーキングボール１１を保持する。カートリッジ１４は、ガスボンベ支持部１５と、ガスボンベ載置部１６と、ガスボンベ固定部１７と、マーキングボール保持部１８と、から構成されている。
【００３０】
ガスボンベ支持部１５は、孔１９を形成する壁部２０からなる円筒形の部材である。ガスボンベ支持部１５の内径はガスボンベ１３の最外径に略等しい。ガスボンベ支持部１５は、ガス・ボール供給部３の前側（図６左側）の孔１９からガスボンベ１３の先端部２１を挿入することによりガスボンベ１３を支持する。
【００３１】
ガスボンベ載置部１６は、板状体の部材である。ガスボンベ載置部１６は、上面のガス・ボール供給部３の後側（図６右側）端部をガスボンベ支持部１５と一体に形成され、下面をマーキングボール保持部１８と一体に形成されている。ガスボンベ載置部１６の上面は、ガスボンベ１３を載せて置くために、湾曲状に形成されている。
【００３２】
図７はガスボンベ固定部１７の断面図である。ガスボンベ固定部１７は、挿入部２２を形成する側壁部２３と、側壁部２３と一体に形成された薄膜２４と、から構成されている。ガスボンベ固定部１７は、挿入部２２にガスボンベ１３の先端部２１が挿入されることでガスボンベ１３を固定するとともに、ボンベ装着部６とピストン室８との接続部２５（図４）にガスボンベ固定部１７の側壁部２３を装着することにより、ガス・ボール供給部３を装置本体２に固定する。
【００３３】
側壁部２３の外側部２６はガスボンベ固定部１７を装置本体２に装着するためにネジ部２７が設けられている。側壁部２３の内側部２８は、ガスボンベ１３を回転させなくてもワンタッチで装着可能な構造となっており、例えば、スナップフィット機構により構成されている。また、側壁部２３の内側部２８は、ガスボンベ１３の装着後は取り外しの効かない構造となっている。これにより、ガスボンベ１３の脱落を防止することができる。
【００３４】
薄膜２４は、挿入部２２のガス・ボール供給部３の後側（図７右側）端部に設けられ、側壁部２３と一体に形成されている。薄膜２４は、強度、厚さは特に限定されないが、装置本体２の揺れ等の程度では破れないが、マーキングボール１１を発射する際にはピストン４により打ち抜かれる程度の強度、厚さである。
【００３５】
マーキングボール保持部１８は、側壁２９と、蓋部３０・３０と、から構成されている。マーキングボール保持部１８は、マーキングボール１１を保持するとともに、マーキングボール１１を発射するための射出口の機能を有する。
【００３６】
側壁２９は孔部３１を形成する。孔部３１には、マーキングボール１１が複数個保持される。孔部３１のガス・ボール供給部３の前側（図６左側）端部は、マーキングボール１１を発射するための射出口１０となる。
【００３７】
蓋部３０・３０は、側壁２９の両端部に装着して孔部３１を密閉するとともに、マーキングボール１１を発射する際には打ち抜かれる。蓋部３０・３０が、側壁２９の両端部に装着して孔部３１を密閉することにより、マーキングボール保持部１８内部に保持されたマーキングボール１１は、発射時までマーキングボール保持部１８の外部の温度、湿度等の影響を受けにくくなるため、マーキングボール１１の品質を保持することができる。
【００３８】
ここで、マーキングボール発射装置１から発射されるマーキングボール１１について説明する。
マーキングボール１１は、スポンジ材質で形成された略球形のものである。マーキングボール１１は、ボール内部に被識別剤が充填されている。充填される被識別剤は、油、水、色素、香料、珪素、セラミックス等を含んでいる。マーキングボール１１はマーキングボール保持部１８内に保持された状態で、マーキングボール発射装置１に装填される。マーキングボール１１は、マーキングボール発射装置１から発射され被弾対象に衝突すると、マーキングボール１１の衝突面がボール内部に押される。マーキングボール１１の衝突面がボール内部に押されると、ボール内部に充填されている被識別剤がボール面から外部へ押し出される。マーキングボール１１はスポンジ材質であることから、対象への衝撃度は小さい。また、対象への衝突によりボール表面が押されることで被識別剤がボール外部へ押し出されることから、被識別剤が対象に付着し易い。
【００３９】
図８はピストン４の斜視図である。ピストン４は、バネ３２（図３）の弾性力によりガスボンベ１３の蓋板に向けて押し出されるものである。ピストン４は、突出部３３と、ピストン部３４と、から構成されている。
【００４０】
突出部３３は、尖端部３５と、突部３６と、を有する。突出部３３はピストン４の前側（図８左側）において尖端部３５を前方に向けて配設される。
【００４１】
尖端部３５は、バネ３２の弾性力によりガスボンベ１３の蓋板に向けて押し出される際に、ガスボンベ１３の蓋板を開封する。尖端部３５は、多角形状で鋭角に構成されている。
【００４２】
突部３６は、直角に上下左右方向で設けられている。隣り合う突部３６の間には間隙３７が形成されている。突出部３３に間隙３７が形成されることで、ガスボンベ１３の蓋板開封時に、圧縮ガスが間隙３７を通過することができる。つまり、間隙３７がガスボンベ１３の蓋板開封時における圧縮ガスの噴出経路となる。
【００４３】
ピストン部３４は、軸部３８と、係止溝部３９と、リング取付部４０と、から構成されている。ピストン部３４には、バネ３２が軸部３８上であって、突出部３３と係止溝部３９との間に挿入されている。マーキングボール１１を発射する前には、ピストン４はトリガー５の係止部４６（図９）に係止されるともに、バネ３２が圧縮された状態で保持される。
【００４４】
軸部３８は、ピストン４の軸を形成する。軸部３８は、ピストン４の前側（図８左側）端部に突出部３３が接続され、ピストン４の後側（図８右側）端部にリング取付部４０が接続されている。軸部３８の中央部には、ピン取付穴４１が設けられている。ピン取付穴４１には、ストッパーピン４２が挿入される。ストッパーピン４２はピストン４の誤作動防止用のピンである。ストッパーピン４２がピン取付穴４１に挿入されている場合には、ストッパーピン４２が装置本体２の後側面（図１右側）に接触してピストン４を係止するため、トリガー５の係止部４６の係止が解除されても、ピストン４が押し出されることはない。
【００４５】
係止溝部３９はトリガー５の係止部４６により係止される。係止溝部３９が係止部４６に係止されることで、バネ３２が圧縮された状態の位置でピストン４が保持される。
【００４６】
リング取付部４０は穴部４３を有する。穴部４３にはリング４４が挿入される。
【００４７】
図９はトリガー５の断面図である。トリガー５は、マーキングボール１１を発射するための引き金である。トリガー５は、引金部４５と、係止部４６と、バネ４７・４７と、から構成されている。
【００４８】
引金部４５は、上部にピストン挿入部４８を有し、ピストン４が挿入される。引金部４５は、上面に溝部４９・４９を有し、バネ４７・４７が接続されている。引金部４５は、ピストン挿入部４８において係止部４６と一体に形成している。引金部４５はバネ４７・４７により、下方向に付勢されている。引金部４５は、上方向に押されることで、係止部４６の係止を解除する。
【００４９】
係止部４６は棒状の部材である。係止部４６は、ピストン挿入部４８内にピストン４と直交して設けられている。係止部４６は、ピストン４の係止溝部３９に係止する。係止部４６は引金部４５とともにバネ４７・４７により下方向に付勢されているため、係止溝部３９を上方向から係止することで、ピストン４を保持する。一方、引金部４５を上方向に押すことで、係止部４６は上方向に移動し、係止溝部３９の係止を解除する。
【００５０】
バネ４７・４７は引金部４５の溝部４９に設置されている。バネ４７・４７は、引金部４５を下方向に付勢している。
【００５１】
次に、ガス・ボール供給部３の装置本体２への取り付け方法に説明する。
図５に示すように、ガスボンベ１３をカートリッジ１４に装着することにより、ガス・ボール供給部３を形成する。具体的には、ガスボンベ１３の先端部２１をカートリッジ１４に向け、ガスボンベ支持部１５に挿入する。これにより、ガスボンベ支持部１５は、ガスボンベ１３の外径とガスボンベ支持部１５の内径とが略等しくなる位置で、ガスボンベ１３を支持する。ガスボンベ支持部１５がガスボンベ１３を支持すると、ガスボンベ１３の先端部２１がガスボンベ固定部１７に装着される。
【００５２】
図２に示すように、ガス・ボール供給部３は、装置本体２の前側（図２左側）から図示矢印Ａに向けて装置本体２に装入する。この時、ガス・ボール供給部３は、ガスボンベ１３を上側に、マーキングボール保持部１８を下側にする。ガス・ボール供給部３を装置本体２に装入すると、ガスボンベ固定部１７は装置本体２の接続部２５（図４）に装着される。これにより、ガス・ボール供給部３が装置本体２に固定される。
【００５３】
次にマーキングボール発射装置１の発射作動について説明する。
まず、ストッパーピン４２をピン取付穴４１から取り外す。これにより、ストッパーピン４２によるピストン４の係止が解除され、マーキングボール１１を発射できる状態となる。
射出口１０を被弾対象に向け照準を合わせる。照準を合わせながらトリガー５の引金部４５を上方向に押すと、係止部４６が係止溝部３９から解除される。ピストン４は係止状態ではバネ３２が圧縮された状態で保持されているため、係止状態が解除されるとピストン４は勢い良くボンベ装着部６側へ移動する。
【００５４】
ピストン４がボンベ装着部６側へ移動することにより、ピストン４の尖端部３５がガスボンベ固定部１７の薄膜２４を打ち抜く。尖端部３５が薄膜２４を打ち抜くことにより、尖端部３５がガスボンベ１３の開封口に当接して、開封口の蓋板を打ち抜く。蓋板が打ち抜かれたガスボンベ１３は圧縮ガスを放出する。放出された圧縮ガスはガスボンベ固定部１７、ピストン室８を介してガス供給部９へ案内され、ガス供給部９に充満する。
【００５５】
ガス供給部９に圧縮ガスが充満することにより、マーキングボール保持部１８の蓋部３０が打ち抜かれる。蓋部３０が打ち抜かれることにより、マーキングボール保持部１８内のマーキングボール１１が圧縮ガスの推進力を得て押し出される。押し出されたマーキングボール１１はマーキングボール保持部１８内で加速される。加速されたマーキングボール１１は、蓋部３０を打ち抜いて、射出口１０から発射される。
【００５６】
このように、マーキングボール発射装置１は、ガスボンベ１３と、マーキングボール１１を保持したカートリッジ１４とを一体とするガス・ボール供給部３を装置本体２の前側から装着することで、ガスボンベ１３をボンベ装着部６に、カートリッジ１４をカートリッジ装着部７に、それぞれ装着することから、ガスボンベ１３とカートリッジ１４とを装置本体２に対して同方向から装着でき、マーキングボール１１及び圧縮ガスの装填作業が容易となり操作性を向上することができる。
【００５７】
また、マーキングボール発射装置１は、ガス・ボール供給部３が、ガスボンベ１３を支持するガスボンベ支持部１５と、ガスボンベ支持部１５と一体に形成され、ガスボンベ１３を載置するガスボンベ載置部１６と、ガスボンベ１３の先端部２１が挿入されることでガスボンベ１３が固定されるとともに、装置本体２に装着することでガス・ボール供給部３が装置本体２に固定されるガスボンベ固定部１７と、マーキングボール１１を保持するとともに、マーキングボール１１を発射するための射出口１０の機能を有するマーキングボール保持部１８と、を構成することから、ガスボンベ１３とカートリッジ１４とを同時に装着できるため、マーキングボール１１及び圧縮ガスの装填作業を素早く且つ同時に行うことができる。
【００５８】
さらに、マーキングボール発射装置１は、ガスボンベ固定部１７の一端部に薄膜２４を成型することから、装置本体２の揺れ等によるガスボンベ１３の蓋板の破損を防止することができる。
【００５９】
さらにまた、マーキングボール発射装置１は、マーキングボール保持部１８が、孔部３１を形成する側壁２９と、側壁２９の両端部に装着して孔部３１を密閉するとともに、マーキングボール１１を発射する際には打ち抜かれる蓋部３０と、から構成されていることから、カートリッジ１４の内部に保持されたマーキングボール１１は発射時までカートリッジ１４の外部の温度、湿度等の影響を受けにくくなり、マーキングボール１１の品質を保持することができる。また、マーキングボール保持部１８に保持しているマーキングボール１１がスポンジ材質であることから、マーキングボール１１の対人衝撃度を軽減しつつ、マーキングボール１１の被弾対象に対する被識別剤の付着度を向上することできる。
【００６０】
また、マーキングボール発射装置１は、ガスボンベ１３内の圧縮ガスの噴射経路をピストン室８からカートリッジ装着部７とし、ガスボンベ１３のガス圧がカートリッジ１４の後部にかかることによりマーキングボール１１がガスボンベ１３のガス噴射方向と反対の方向に射出口１０から発射する構成となっている。つまり、マーキングボール発射装置１は、圧縮ガスの噴射経路を装置本体２上部において前方から後方に向かい、装置本体２中央部において折り返し、装置本体２下部において再び前方へ噴出する構成となっている。これにより、圧縮ガスの噴射経路が横に長くならないため、装置本体２を小型化することができる。
【図面の簡単な説明】
【００６１】
【図１】本発明の実施形態に係るマーキングボール発射装置１の斜視図。
【図２】装置本体２にガスボンベ１３及びカートリッジ１４を装着する前のマーキングボール発射装置１の斜視図。
【図３】マーキングボール発射装置１の内部を示す斜視図。
【図４】装置本体２の内部を示す断面図。
【図５】ガス・ボール供給部３の斜視図。
【図６】ガス・ボール供給部３（ガスボンベ固定部１７を除く）の断面図。
【図７】ガスボンベ固定部１７の断面図。
【図８】ピストン４の斜視図。
【図９】トリガー５の断面図。
【符号の説明】
【００６２】
１      マーキングボール発射装置
２      装置本体
３      ガス・ボール供給部
６      ボンベ装着部
７      カートリッジ装着部
１１    マーキングボール
１３    ガスボンベ
１４    カートリッジ
１５    ガスボンベ支持部
１６    ガスボンベ載置部
１７    ガスボンベ固定部
１８    マーキングボール保持部
２１    ガスボンベの先端部
２４    薄膜
２９    側壁
３０    蓋部
３１    孔部
【図１】
2009109155.tif 000003
【図２】
2009109155.tif 000004
【図３】
2009109155.tif 000005
【図４】
2009109155.tif 000006
【図５】
2009109155.tif 000007
【図６】
2009109155.tif 000008
【図７】
2009109155.tif 000009
【図８】
2009109155.tif 000010
【図９】
2009109155.tif 000011